(57)【要約】【課題】  データエラーが発生しても安定してＯＮＵからＯＬＴにデータを伝送するための方法及び装置を提供する。【解決手段】受動型光加入者ネットワークでＴＤＭＡ方式を使用してＯＮＵからＯＬＴにデータを伝送する方法において、ＯＬＴにデータを伝送するときのデータ伝送時間を測定し、その測定データ伝送時間と正常伝送時間とを比較して、測定データ伝送時間が正常伝送時間以下の場合はデータ伝送を維持し、測定データ伝送時間が正常伝送時間より長くなる場合はデータ伝送を中断する。このような機能をＯＮＵ物理階層の伝送制御機能ブロックにより実現する。【選択図】  図１０
2004260820.tif 000002
【特許請求の範囲】
【請求項１】
ギガビットイーサネット（イーサネット：登録商標、以下同）受動型光加入者ネットワークでＴＤＭＡ方式を使用してＯＮＵからＯＬＴにデータを伝送する方法において、
前記ＯＬＴにデータを伝送するとき、データ伝送時間を測定する過程と、
前記測定データ伝送時間と予め定められた正常伝送時間とを比較する過程と、
前記比較の結果、前記測定データ伝送時間が前記正常伝送時間以下の場合はデータ伝送を維持し、前記測定データ伝送時間が前記正常伝送時間より長くなる場合はデータ伝送を中断する過程と、を含むことを特徴とする方法。
【請求項２】
ギガビットイーサネット受動型光加入者ネットワークでＴＤＭＡ方式を使用してＯＮＵからＯＬＴにデータを伝送する装置において、
前記ＯＬＴへの伝送データを外部制御に応答して前記ＯＬＴと連結された伝送ラインに出力するスイッチ部と、
前記ＯＬＴへのデータ伝送が開始されると、そのデータ伝送時間を測定して予め定められた正常伝送時間以下の場合は前記スイッチ部を制御してデータの出力を維持し、該正常伝送時間より長くなる場合は前記スイッチ部を制御してデータの出力を中断する伝送制御部と、からなる伝送制御機能ブロックを備えることを特徴とする装置。
【請求項３】
伝送制御機能ブロックはＯＮＵの物理階層であるＰＣＳ、ＰＭＡ、ＰＭＤ階層のうち一つに位置する請求項２記載の装置。
【請求項４】
ギガビットイーサネット受動型光加入者ネットワークでＴＤＭＡ方式を使用してＯＮＵからＯＬＴにデータを伝送する装置において、
前記ＯＬＴへデータの伝送が開始されると、該データの伝送時間を測定して、予め定められた正常伝送時間以下の場合はデータ伝送を維持し、該正常伝送時間より長くなる場合はデータ伝送を中断する伝送制御機能ブロックを備えることを特徴とする装置。
【請求項５】
ギガビットイーサネット受動型光加入者ネットワークでＴＤＭＡ方式を使用してＯＮＵからＯＬＴに、又は、ＯＬＴからＯＮＵにデータを伝送する方法において、
物理階層よりも上位階層でエラーが発生すると、前記物理階層でデータの伝送を中断する過程と、
該データ伝送中断に伴い、前記上位階層中のマルチポイントＭＡＣ制御階層から提供されるレーザー制御信号に関係なく前記物理階層中のレーザーをオフにする過程と、を含むことを特徴とする方法。
【請求項６】
物理階層でデータの伝送を中断する過程は、
データを伝送するときのデータ伝送時間を測定する過程と、
前記測定データ伝送時間と予め定められた正常伝送時間とを比較する過程と、
前記比較の結果、前記測定データ伝送時間が前記正常伝送時間以下の場合はデータ伝送を維持し、前記測定データ伝送時間が前記正常伝送時間より長くなる場合はデータ伝送を中断する過程と、を含む請求項５記載の方法。
【請求項７】
ギガビットイーサネット受動型光加入者ネットワークでＴＤＭＡ方式を使用してＯＮＵからＯＬＴに、又は、ＯＬＴからＯＮＵにデータを伝送する装置において、
上位階層からの伝送データを出力するスイッチ部と、データ伝送が開始されるとそのデータ伝送時間を測定し、予め定められた正常伝送時間以下の場合は前記スイッチ部を制御してデータの出力を維持し、該正常伝送時間より長くなる場合は前記スイッチ部を制御してデータの出力を中断する伝送制御部と、を有する物理階層の伝送制御機能ブロックと、
前記スイッチ部から出力された後のデータを伝送ラインへ出力するためのレーザーと、前記伝送制御機能ブロックによる前記スイッチ制御信号及びマルチポイントＭＡＣ制御階層によるレーザー制御信号を受信して、これら制御信号に応じて前記レーザーを制御するレーザー制御部と、を有する物理階層のレーザー制御ブロックと、を備えることを特徴とする装置。
【請求項８】
レーザー制御ブロックのレーザー制御部は、伝送制御機能ブロックによるスイッチ制御信号に応じて上位装置が正常動作すると判断すると、マルチポイントＭＡＣ制御階層によるレーザー制御信号に応じてレーザーを制御する請求項７記載の装置。
【請求項９】
レーザー制御ブロックのレーザー制御部は、伝送制御機能ブロックによるスイッチ制御信号に応じて上位装置が異常動作すると判断すると、マルチポイントＭＡＣ制御階層によるレーザー制御信号と関係なくレーザーの出力を抑止するように制御する請求項７記載の装置。
【請求項１０】
伝送制御機能ブロックが物理階層中のＰＣＳ、ＰＭＡ、ＰＭＤ階層のいずれかに位置し、レーザー制御ブロックが前記ＰＭＤ階層に位置する請求項７記載の装置。
【発明の詳細な説明】
【技術分野】
【０００１】
本発明はギガビットイーサネット受動型光加入者ネットワーク(Gigabit Ethernet Passive Optical Network)に関し、特にＯＮＵ(Optical Network Unit)からＯＬＴ(Optical Line Termination)へデータを伝送する方法及び装置に関する（イーサネット，Ethernet：登録商標、以下同）。
【背景技術】
【０００２】
図１は、現在ＩＥＥＥ８０２.３ａｈ ＥＦＭで標準化が進行中であるギガビットイーサネット受動型光加入者ネットワーク構造を示している。図示したように多数のＯＮＵ１１０−１，１１０−２，１１０−３と一つのＯＬＴ１００との間に通信が発生する。ＯＬＴ１００からＯＮＵ１１０−１，１１０−２，１１０−３の方向へ伝送する下向き伝送である場合には、ＯＬＴ１００が全てのＯＮＵ１１０−１，１１０−２，１１０−３にブロードキャスティングをし、各ＯＮＵ１１０−１，１１０−２，１１０−３がＯＬＴ１００から自分宛のデータを受信するように構成される。しかし、ＯＮＵ１１０−１，１１０−２，１１０−３からＯＬＴ１００の方向へ伝送する上向き伝送である場合には、多数のＯＮＵ１１０−１，１１０−２，１１０−３はＴＤＭＡ(Time Division Multiple Access)方式を基盤にしてＯＬＴ１００にフレームを伝送する。
【０００３】
図９を参照すると、上向き伝送時、任意のＯＮＵで障害が発生すると、他のＯＮＵに割り当てられた伝送時間に影響を与えることがある。図示したように、ＯＮＵ１（１１０−１）は第１区間でＯＮＵ１データフレーム伝送に成功しており、ＯＮＵ２（１１０−２）がエラー発生により、第２区間におけるＯＮＵ２データフレーム伝送に失敗し、これによってそれ以後まで伝送路を継続的に占有している。即ち、ＯＮＵ１１０−２は定められた時間を超過してエラー発生したＯＮＵ２データを継続して伝送しており、これによってＯＮＵ３（１１０−３）がＯＮＵ３データを伝送すべき第３区間でデータ衝突が生じている。従って、データ衝突が継続的に発生すれば、ギガビットイーサネット受動型光加入者ネットワーク全体の伝送不能状態をもたらすようになる。
【発明の開示】
【発明が解決しようとする課題】
【０００４】
このような問題点を解決するため本発明の目的は、安定的にＯＮＵからＯＬＴにデータを伝送するための方法及び装置を提供することにある。
【課題を解決するための手段】
【０００５】
このような目的を達成するために本発明は、ギガビットイーサネット受動型光加入者ネットワークでＴＤＭＡ方式を使用してＯＮＵからＯＬＴにデータを伝送する方法において、ＯＬＴにデータを伝送するとき、データ伝送時間を測定する過程と、その測定データ伝送時間と予め定められた正常伝送時間とを比較する過程と、該比較の結果、測定データ伝送時間が正常伝送時間以下の場合はデータ伝送を維持し、測定データ伝送時間が正常伝送時間より長くなる場合はデータ伝送を中断する過程と、を含むことを特徴とする。
【０００６】
また、本発明は、ギガビットイーサネット受動型光加入者ネットワークでＴＤＭＡ方式を使用してＯＮＵからＯＬＴにデータを伝送する装置において、ＯＬＴへデータの伝送が開始されると、該データの伝送時間を測定して、予め定められた正常伝送時間以下の場合はデータ伝送を維持し、正常伝送時間より長くなる場合はデータ伝送を中断する伝送制御機能ブロックを備えることを特徴とする。具体的には、ＯＬＴへの伝送データを外部制御に応答してＯＬＴと連結された伝送ラインに出力するスイッチ部と、ＯＬＴへのデータ伝送が開始されると、そのデータ伝送時間を測定して予め定められた正常伝送時間以下の場合はスイッチ部を制御してデータの出力を維持し、正常伝送時間より長くなる場合はスイッチ部を制御してデータの出力を中断する伝送制御部と、からなる伝送制御機能ブロックを備えることを特徴とする。この伝送制御機能ブロックは、ＯＮＵの物理階層であるＰＣＳ、ＰＭＡ、ＰＭＤ階層のうち一つに位置することができる。
【０００７】
この他にも本発明によれば、ギガビットイーサネット受動型光加入者ネットワークでＴＤＭＡ方式を使用してＯＮＵからＯＬＴに、又は、ＯＬＴからＯＮＵにデータを伝送する方法において、物理階層よりも上位階層でエラーが発生すると、物理階層でデータの伝送を中断する過程と、該データ伝送中断に伴い、上位階層中のマルチポイントＭＡＣ制御階層から提供されるレーザー制御信号に関係なく物理階層中のレーザーをオフにする過程と、を含むことを特徴とする。その物理階層でデータの伝送を中断する過程は、データを伝送するときのデータ伝送時間を測定する過程と、この測定データ伝送時間と予め定められた正常伝送時間とを比較する過程と、該比較の結果、測定データ伝送時間が正常伝送時間以下の場合はデータ伝送を維持し、測定データ伝送時間が正常伝送時間より長くなる場合はデータ伝送を中断する過程と、を含むものとする。
【０００８】
あるいは、本発明によれば、ギガビットイーサネット受動型光加入者ネットワークでＴＤＭＡ方式を使用してＯＮＵからＯＬＴに、又は、ＯＬＴからＯＮＵにデータを伝送する装置において、上位階層からの伝送データを出力するスイッチ部と、データ伝送が開始されるとそのデータ伝送時間を測定し、予め定められた正常伝送時間以下の場合はスイッチ部を制御してデータの出力を維持し、正常伝送時間より長くなる場合はスイッチ部を制御してデータの出力を中断する伝送制御部と、を有する物理階層の伝送制御機能ブロック、そして、スイッチ部から出力された後のデータを伝送ラインへ出力するためのレーザーと、伝送制御機能ブロックによるスイッチ制御信号及びマルチポイントＭＡＣ制御階層によるレーザー制御信号を受信して、これら制御信号に応じてレーザーを制御するレーザー制御部と、を有する物理階層のレーザー制御ブロックを備えることを特徴とする。
【０００９】
レーザー制御ブロックのレーザー制御部は、伝送制御機能ブロックによるスイッチ制御信号に応じて上位装置が正常動作すると判断すると、マルチポイントＭＡＣ制御階層によるレーザー制御信号に応じてレーザーを制御し、また、伝送制御機能ブロックによるスイッチ制御信号に応じて上位装置が異常動作すると判断すると、マルチポイントＭＡＣ制御階層によるレーザー制御信号と関係なくレーザーの出力を抑止するように制御するものとすることができる。このような伝送制御機能ブロックは、物理階層中のＰＣＳ、ＰＭＡ、ＰＭＤ階層のいずれかに位置し、レーザー制御ブロックは、物理階層中のＰＭＤ階層に位置するようにする。
【発明の効果】
【００１０】
本発明によれば、ギガビットイーサネット受動型光加入者ネットワークでデータの伝送時、異常データの発生を感知して伝送を遮断することにより、データ伝送を円滑に遂行することができる。
【００１１】
また、本発明のギガビットイーサネット受動型光加入者ネットワークによれば、伝送制御部からの制御信号に応じて上位にある装置が異常動作すると判断されると、ノイズソース(Noise source)として作用し得るレーザーをオフにして他の装置のデータ伝送に影響しないようにする。
【００１２】
また、本発明の伝送制御機能ブロックは、物理階層に含まれたＰＣＳ、ＰＭＡ、ＰＭＤ階層のうちいずれか一つの階層に位置して実行可能で、この場合、伝送制御機能ブロックからの制御信号をレーザー制御と連動可能とし、ノイズを抑制することもできる。
【００１３】
本発明の装置及び方法は、ＯＮＵのみならず、ＯＬＴに適用することも可能である。
【発明を実施するための最良の形態】
【００１４】
以下、本発明に従う好適な実施形態について添付図を参照しつつ詳細に説明する。下記の説明において、本発明の要旨のみを明瞭にする目的で、関連した公知機能又は構成に関する具体的な説明は省略する。
【００１５】
図１は、本発明を適用可能なギガビットイーサネット受動型光加入者ネットワークの構成図である。図１に示したように、受動型光加入者ネットワークは、一つのＯＬＴ１００、このＯＬＴ１００と通信する多数のＯＮＵ１１０−１〜１１０−３、そしてＯＮＵ１１０−１〜１１０−３と通信する多数のエンドユーザー(End user：使用者、ネットワーク装置)１２０−１〜１２０−３を含む。
【００１６】
図１には所定個数のＯＮＵが示されているが、ギガビットイーサネット受動型加入者ネットワークは多数のＯＮＵ間の同時通信を支援することができる。従って、図したＯＮＵの個数は本発明の範囲を限定するものではない。
【００１７】
動作時、エンドユーザー１２０−１〜１２０−３はそれぞれのデータ１３１〜１３３をＯＮＵ１１０−１〜１１０−３を経てＯＬＴ１００に伝送し、ＯＬＴ１００はデータをＯＮＵ１１０−１〜１１０−３を経てエンドユーザー１２０−１〜１２０−ｎに伝送する。ＧＥＰＯＮで、例えば、イーサネット(登録商標)フレームは１Gbps以上の伝送速度で伝送される。上向き伝送時には、ＯＬＴ１００がＴＤＭ(Time Division Multiplexing)方式で各ＯＮＵ１１０−１〜１１０−３のマルチプレクシングデータをアクセスするようになる。そして下向き伝送時には、ＯＮＵ１１０−１〜１１０−３が、ＯＬＴ１００がブロードキャスティングするデータのうち自分が受信するデータのみを選択して受信する。
【００１８】
このようなＧＥＰＯＮのデータ上向き伝送時、多数のＯＮＵ１１０−１〜１１０−３はデータを結合して、ＴＤＭタイムスロットにより衝突を回避しながら上向きチャンネルに伝送する必要がある。
【００１９】
これに従い本発明では、ＯＮＵ１１０がＯＬＴ１００にデータを伝送する上向き伝送を開始すると、データを伝送するのにかかる時間を測定し、測定される時間が予め設定された正常伝送時間を超えると、データの伝送を中断する。その正常伝送時間とは、ＯＮＵ１１０のＯＬＴ１００との伝送ライン占有時の所定時間で最大限伝送することができるデータ量を伝送するのにかかる時間である。
【００２０】
上述したように動作するＯＮＵ１１０の構成を図２に示した。ＯＮＵ１１０はＭＡＣ(Media Access Control)階層と物理階層を含む。図２を参照すると、物理階層はＰＣＳ(Physical Coding Sub-layer)１６０と、ＰＭＡ(physical Medium attachment)１５０と、ＰＭＤ(Physical Medium dependent)１９０と、を含む。ＰＣＳ階層１６０では送信時に８Ｂ／１０Ｂ coding、受信時に１０Ｂ／８Ｂ decodingの動作を遂行する。ＰＭＡ階層１５０ではデータの直列／並列化(Serialization／Deserialization)動作を遂行し、ＰＭＤ階層１９０では伝送ラインにデータを乗せるために変調(modulation)し、パルス整形(pulse shaping)などの動作を遂行する。図２に示されたＯＮＵ１１０の構成はＩＥＥＥ８０２.３の標準に従う。
【００２１】
本発明はＯＮＵ１１０、またはＯＬＴ１００のデータ伝送に関連しているので、図２では各階層でデータ伝送に関連した構成要素のみを示した。データ伝送に関して、ＰＣＳ階層１６０は上位階層からのデータをエンコーディングするエンコーダ１０を含み、ＰＭＡ階層１５０はエンコーダ１０からのデータをマルチプレクシングするマルチプレクサ２０を含み、ＰＭＤ階層１９０はマルチプレクシングされたデータを変調するための変調器３０及び変調されたデータの信号を波形整形する波形整形器４０を含む。
【００２２】
図３を参照すると、ＰＣＳ階層１６０、ＰＭＡ階層１５０及びＰＭＤ階層１９０を含む物理階層は、上位階層からエラー発生データが送られてくる場合、これを感知して遮断するように伝送制御機能ブロック３１０を含む。即ち、伝送制御機能ブロック３１０はＰＣＳ、ＰＭＡ、ＰＭＤ階層を含む物理階層でのデータ送受信時、物理階層４００の任意の位置に位置することができる。
【００２３】
図４乃至図６は、伝送制御機能ブロック３１０が物理階層４００に位置する各種の例を示したものである。伝送制御機能ブロック３１０は、図４に示したようにＰＣＳ階層１６０に位置してＭＡＣからのエラー発生データが下向き伝送(downstream)される場合にこれを感知して遮断するか、または図５に示したようにＰＭＡ階層１５０に位置してＰＣＳ階層からのエラー発生データを遮断することができる。また、伝送制御機能ブロック３１０は、図６に示したように、ＰＭＤ階層１９０に位置することもできる。このように、本例の伝送制御機能ブロック３１０は、各階層ごとに位置するものではなく、物理階層のうちいずれか一つの階層に位置する。
【００２４】
図７は、上記のような伝送制御機能ブロックの構成例を示した図である。図７に示したように、伝送制御機能ブロック３１０はスイッチ部１５３、伝送制御部１５５を含む。
【００２５】
動作時、スイッチ部１５３は伝送制御部１５５の制御に応じてオン／オフし、入力データを伝送ラインに出力するか、出力を中断する。伝送ラインはＯＬＴ１００とＯＮＵ１１０を連結するラインである。伝送制御部１５５は、上位階層からスイッチ部１５３にデータ出力があると、タイマーを駆動してデータ伝送にかかる時間を測定し、正常データであるか、異常データであるか判断する。より具体的に、伝送制御部１５５は、測定されるデータ伝送時間が予め設定された正常伝送時間以下であれば、正常データと判断してスイッチ部１５３をオン状態に維持する。しかし、伝送制御部１５５は、測定されるデータ伝送時間が予め設定された正常伝送時間より長くなるときには、異常データと判断してスイッチ部１５３をオフとし、データの伝送ライン出力を中断させる。
【００２６】
従って、伝送制御部１５５は、データ伝送所要時間を基準に上位階層でエラーが発生したことを認知する。このような伝送制御部１５５は例、えばジャバー制御器(Jabber Controller)などを使用することができる。
【００２７】
図８を参照して前記のように構成されるＯＮＵ１１０の動作過程を説明する。図８は本発明に従うＯＮＵ１１０の動作フロー図である。先ず、ＯＮＵ１１０は２０１段階でＯＬＴ１００へデータの伝送があるか確認して、データの伝送があると、２０３段階に進行する。２０３段階でＯＮＵ１１０はデータの伝送が開始された瞬間からデータ伝送の遂行時間を測定し、２０５段階に進行する。２０５段階でＯＮＵ１１０は、２０３段階で測定されるデータ伝送時間と予め設定された正常伝送時間とを比較する。その比較の結果、ＯＮＵ１１０は測定されるデータ伝送時間が正常伝送時間以下であれば、２０７段階に進行し、測定されるデータ伝送時間が正常伝送時間より長ければ、２０９段階に進行する。この時、測定されるデータ伝送時間が正常伝送時間以下ということは、データが正常であることを意味し、データの伝送が正常実行されていることを意味する。一方、測定されるデータ伝送時間が正常伝送時間より長いということは、データが異常であることを意味し、データ伝送にエラーが発生している可能性を意味する。従って、ＯＮＵ１１０は２０７段階ではデータ伝送を成功的に完了し、データ伝送を終了する。一方、２０９段階ではＯＮＵ１１０はデータ伝送を中止し、データ伝送を終了する。
【００２８】
このように本発明に従うＯＮＵ１１０は、データの上向き伝送時、エラーデータ発生を感知してデータの伝送を遮断することにより、ＧＥＰＯＮ全体の円滑なデータ伝送を可能にする。以下、図１０を参照してより詳細に説明する。
【００２９】
図１０は、本発明によるＯＮＵのエラー発生遮断を示した図であり、ＯＮＵ２（１１０−２）で異常データが発生した場合を例示した。図１０に示したように、ＯＮＵ１（１１０−１）のＯＮＵ１データが伝送される第１区間の間はデータ伝送が成功している。そして、ＯＮＵ２（１１０−２）のＯＮＵ２データが伝送される第２区間で、ＯＮＵ２（１１０−２）は、伝送制御部１１５の判断に応じて、エラーが発生したＯＮＵ２データを感知してスイッチ部１５３を駆動し、ＯＮＵ３（１１０−３）のＯＮＵ３データ伝送用にスケジューリングされた第３区間の開始時点には、ＯＮＵ２のデータ伝送を中断する。これによって、第３区間でＯＮＵ３（１１０−３）はＯＮＵ３データを正常に伝送することができ、ＧＥＰＯＮ全体的にも円滑なデータ伝送が遂行されることになる。
【００３０】
以上のようなジャバー制御器(Jabber Controller)などを含んで使用可能な伝送制御機能ブロック３１０は、物理階層のＰＣＳ、ＰＭＡ、ＰＭＤ階層というデータ送受信時の物理階層の具体的位置に制限なくランダムに位置することができる。そして、この伝送制御機能ブロック３１０は上位階層からエラー発生データが下向き伝送される場合にこれを感知して遮断する。
【００３１】
一方、ＥＰＯＮ ＭＡＣ階層(Layer)、特に、ＭＡＣ階層１７０の上位にあるマルチポイントＭＡＣ制御階層(Multi-point MAC Control Layer)ではレーザー制御信号(Laser Control Signal)を発生して、このレーザー制御信号を通じてＰＭＡ下位のＰＭＤ階層のレーザーをオン／オフ(ON／OFF)制御している。ＯＮＵ／ＯＮＴでは、データを伝送しないときには、他のＯＮＵ／ＯＮＴデータ伝送に対しノイズソース(Noise source)として作用し得るレーザーをオフにして、他のＯＮＵ／ＯＮＴのデータ伝送時に影響しないようにすることが望ましい。これに従い、ＥＰＯＮに上記の伝送制御機能を適用する場合、同じくノイズソース防止の理由から、伝送制御機能ブロック３１０によりデータ伝送を遮断したときにはレーザーをオフさせることが望ましい。
【００３２】
上記の実施例では伝送制御機能ブロック３１０がレーザー制御(Laser Control)と関係なく作動する、レーザー制御(Laser Control)がオン状態での伝送制御機能ブロック３１０の動作が提案されている。これに対し以下に述べる実施例では、伝送制御機能ブロック３１０によるデータ伝送制御を既存のレーザー制御と連動させ、データ伝送遮断とともにレーザーも伝送制御機能ブロック３１０により非活性とする。このようなレーザー制御部とレーザーを含む機能ブロックをレーザー制御ブロックと称する。
【００３３】
図１１乃至図１３は、このような実施例のＯＮＵ(Optical Network Unit)の構成を示した図である。図示したように、ＰＣＳ、ＰＭＡ、ＰＭＤの各物理階層のいずれか１階層に伝送制御機能ブロック３１０が位置し、ＰＭＤ階層１９０にレーザー制御ブロック３２０が位置している。
【００３４】
再度図３を参照すると、ＯＮＵ１１０はＭＡＣ(Media Access Control)階層１７０と物理階層４００を含み、物理階層４００はＰＣＳ(Physical Coding Sub-layer)階層１６０、ＰＭＡ階層１５０及びＰＭＤ(Physical Medium Dependent)１９０階層を含むが、これはＩＥＥＥ８０２.３の階層構造に従っている。ＯＮＵ１１０は物理階層４００のＰＣＳ(Physical Coding Sub-layer)階層１６０、ＰＭＡ階層１５０及びＰＭＤ(Physical Medium Dependent)１９０階層のうちいずれか一つに前述した伝送制御機能ブロック３１０を含み、そして、伝送制御機能ブロック３１０と連動するレーザー制御ブロック３２０をＰＭＤ階層１９０に含む。
【００３５】
レーザー制御ブロック３２０は、伝送制御機能ブロック３１０がデータ伝送を行う場合には、既存のレーザー制御と同一の制御状態を有し、伝送制御機能ブロック３１０がデータを遮断する場合には、上位から下位へ伝送されるレーザー制御(Laser Control)命令に関係なく常にレーザーの状態をオフにする。
【００３６】
図１４は、この例のレーザー制御ブロック３２０の構成を示した図である。
【００３７】
図示したように、ＰＭＤ階層１９０のレーザー制御ブロック３２０は上位からのデータを伝送ラインに出力するためのレーザー１９３及びこのレーザー１９３を制御するためのレーザー制御部１９５を含む。レーザー１９３はレーザー制御部１９５によりオンオフ制御され上位からのデータを伝送ラインに伝送する。
【００３８】
レーザー制御部１９５は、ＭＡＣ階層１７０の上位階層であるマルチポイントＭＡＣ制御階層(Multi-point ＭＡＣ Control Layer)からレーザー制御信号(Laser Control Signal)を受信する。また、レーザー制御部１９５は、伝送制御機能ブロック３１０から伝送制御信号を受信する。 伝送制御機能ブロック３１０からの伝送制御信号は、上述したように、伝送制御機能ブロック３１０がデータ伝送時に消費される時間を基にデータの正常、異常を判断し、それによって出力される制御信号である。この制御信号はスイッチ部１５３に出力されスイッチ部１５３をオン／オフ制御する。スイッチ部１５３をオン制御することは、データの伝送ライン出力を継続することであり、スイッチ部１５３をオフ制御することは、データの伝送ライン出力を中断するものである。
【００３９】
本例のレーザー制御ブロック３２０のレーザー制御部１９５は、上位階層にある装置が正常動作するときには伝送制御機能ブロック３１０から提供される制御信号がスイッチ部１５３をオン制御するように出力されるので、レーザー制御信号に応じてレーザー１９３を制御する。即ち、レーザー制御ブロック３２０のレーザー制御部１９５は、伝送制御機能ブロック３１０からの制御信号に応じて上位装置が正常動作すると判断すると、マルチポイントＭＡＣ制御(Multipoint MAC Control)階層の出力であるレーザー制御信号と同一の値を出力して既存のレーザー制御と同一の制御状態を有するようにする。
【００４０】
一方、レーザー制御部１９５は、上位階層から異常なデータフレームが伝送されるときには伝送制御機能ブロック３１０から提供される制御信号がスイッチ部１５４をオフ制御するように出力されるので、マルチポイントＭＡＣ制御(Multipoint MAC Control)階層からのレーザー制御信号と関係なくレーザー１９３をオフ、またはフォールスするように制御する。即ち、レーザー制御部１９５は、伝送制御機能ブロック３１０からの制御信号に応じて上位装置が異常動作すると判断すると、マルチポイントＭＡＣ制御(Multipoint MAC Control)階層からのレーザー制御信号と関係なくレーザー１９３をオフ、またはフォールスするように制御する。
【００４１】
上述した本発明の詳細な説明では具体的な実施形態について説明したが、本発明の範囲を外れない限り多様な変形が可能なことはもちろんである。したがって、本発明の範囲は説明した実施形態に局限して定められてはいけないし、特許請求の範囲だけでなくこの許請求の範囲と均等なものにより定められなければならない。
【図面の簡単な説明】
【００４２】
【図１】本発明が適用されるギガビットイーサネット受動型光加入者ネットワークの構成図。
【図２】本発明に従うＯＮＵ(Optical Network Unit)の構成例を示した図。
【図３】本発明に係る伝送制御機能ブロックを含むＯＮＵの階層構成例を示した図。
【図４】物理階層中の伝送制御機能ブロックの位置を例示した図。
【図５】物理階層中の伝送制御機能ブロックの位置を例示した図。
【図６】物理階層中の伝送制御機能ブロックの位置を例示した図。
【図７】本発明に従う伝送制御機能ブロックの構成例を示した図。
【図８】本発明に従うＯＮＵの動作フローチャート。
【図９】ＯＮＵのエラー発生時にギガビットイーサネットＰＯＮに与える影響を説明した図。
【図１０】本発明に従うＯＮＵのエラー発生遮断を説明する図９相当の図。
【図１１】物理階層中の伝送制御機能ブロック及びレーザー制御ブロックの位置を例示した図。
【図１２】物理階層中の伝送制御機能ブロック及びレーザー制御ブロックの位置を例示した図。
【図１３】物理階層中の伝送制御機能ブロック及びレーザー制御ブロックの位置を例示した図。
【図１４】本発明に従うレーザー制御ブロックの構成例を示した図。
【符号の説明】
【００４３】
１５３  スイッチ
１５５  伝送制御部
１９３  レーザ
１９５  レーザ制御部
３１０  伝送制御機能ブロック
３２０  レーザ制御ブロック
【図１】
2004260820.tif 000003
【図２】
2004260820.tif 000004
【図３】
2004260820.tif 000005
【図４】
2004260820.tif 000006
【図５】
2004260820.tif 000007
【図６】
2004260820.tif 000008
【図７】
2004260820.tif 000009
【図８】
2004260820.tif 000010
【図９】
2004260820.tif 000011
【図１０】
2004260820.tif 000012
【図１１】
2004260820.tif 000013
【図１２】
2004260820.tif 000014
【図１３】
2004260820.tif 000015
【図１４】
2004260820.tif 000016